(57)【要約】　　　（修正有）【課題】装置本体に対して着脱可能で位置調整可能なＸ線発生手段の安全スイッチとして強制開離型スイッチを採用する。【解決手段】Ｘ線異物検出装置の筐体に対しＸ線発生装置は着脱可能であり装着後には挿入方向と直交する方向について位置調整できる。Ｘ線発生装置の側面には、案内部材２６とスイッチ操作手段２１が固定されている。筐体の対応位置には、受け部材２５と強制開離型スイッチ２０が、支持部材２７を解して調整方向について移動可能に設けられている。強制開離型スイッチ２０は接点融着の発生がなく、Ｘ線発生装置の安全スイッチとして機能する。Ｘ線発生手段７を筐体内に挿入する。受け部材２５と案内部材２６に案内されてスイッチ操作手段２１は円滑に強制開離型スイッチ２０の挿入部２０ａに挿入され、Ｘ線発生手段７の駆動回路は動作可能となる。この状態でＸ線発生手段７を調整方向に位置調整することもできる。【選択図】　図３
2004020384.tif 000002
【特許請求の範囲】
【請求項１】
筐体（２）と、前記筐体に対して着脱可能でかつ装着時には位置調整可能であり、前記筐体に装着された状態で被検査物にＸ線を照射するＸ線発生手段（７）と、前記筐体内に設けられ前記被検査物を透過したＸ線を検出して前記被検査物中の異物の有無を検出するＸ線検出手段（１０）と、前記筐体に設けられ前記筐体に装着された前記Ｘ線発生手段に操作されて前記Ｘ線発生手段を作動可能な状態とする安全スイッチとを有するＸ線異物検出装置（１）において、
前記安全スイッチが、前記Ｘ線発生手段に設けられたスイッチ操作手段（２１）の挿抜により動作する強制開離機構を備えたスイッチ（２０）であり、
さらに前記Ｘ線発生手段を前記筐体に装着する際に、前記スイッチ操作手段が前記スイッチ本体に正規に挿入されるように、前記筐体に第１の案内手段（２５）および前記スイッチが設けられ、前記Ｘ線発生手段に該第１の案内手段と係合する第２の案内手段（２６）および前記スイッチ操作手段が設けられたことを特徴とするＸ線異物検出装置。
【請求項２】
筐体（２）と、前記筐体に装着されて被検査物にＸ線を照射するＸ線発生手段（７）と、前記筐体に対して着脱可能でかつ装着時には位置調整可能であり、前記筐体に装着された状態で前記被検査物を透過したＸ線を検出して前記被検査物中の異物の有無を検出するＸ線検出手段（１０）と、前記筐体に設けられ前記筐体に装着された前記Ｘ線検出手段に操作されて前記Ｘ線発生手段を作動可能な状態とする安全スイッチとを有するＸ線異物検出装置（１）において、
前記安全スイッチが、前記Ｘ線検出手段に設けられたスイッチ操作手段（２１）の挿抜により動作する強制開離機構を備えたスイッチ（２０）であり、
さらに前記Ｘ線検出手段を前記筐体に装着する際に、前記スイッチ操作手段が前記スイッチ本体に正規に挿入されるように、前記筐体に第１の案内手段（２５）および前記スイッチが設けられ、前記Ｘ線検出手段に該第１の案内手段と係合する第２の案内手段（２６）および前記スイッチ操作手段が設けられたことを特徴とするＸ線異物検出装置。
【請求項３】
前記第１の案内手段（２５）と前記第２の案内手段（２６）とのいずれか一方と強制開離機構を備えた前記スイッチ（２０）が、
前記Ｘ線検出手段（１０）又は前記Ｘ線発生手段（７）を前記筐体（２）に装着する際に前記筐体内に進入させる方向と交差する方向である調整方向に所定範囲内で移動可能となるように前記筐体に取り付けられており、
前記第１の案内手段と前記第２の案内手段との他方および前記スイッチ操作手段（２１）が前記Ｘ線検出手段又は前記Ｘ線発生手段に取り付けられており、
前記Ｘ線検出手段又は前記Ｘ線発生手段を前記筐体に装着する際に、前記第１の案内手段と前記第２の案内手段が互いに係合することによって前記スイッチ操作手段が強制開離機構を備えた前記スイッチに正規に挿入されて前記Ｘ線発生手段が作動可能な状態になるとともに、
前記スイッチ操作手段が強制開離機構を備えた前記スイッチに正規に挿入された状態において前記Ｘ線検出手段又は前記Ｘ線発生手段を前記調整方向について移動させて装着する位置を調整することができる請求項１又は２記載のＸ線異物検出装置。
【請求項４】
前記第１の案内手段（２５）が、前方に向けて拡大した導入部（２３）と該導入部の後部に連続して設けられた受け凹部（２４）で構成され、
前記第２の案内手段（２６）が前記第１の案内手段の前記導入部に案内されて前記受け凹部に挿入される案内部材で構成されていることを特徴とする請求項１〜３の何れかに記載のＸ線異物検出装置。
【発明の詳細な説明】
【０００１】
【発明の属する技術分野】
本発明は、例えば生肉、魚、加工食品、医薬などの各品種の被検査物を搬送手段で搬送しながらこれらにＸ線を照射し、そのＸ線の透過量から被検査物中の異物を検出するＸ線異物検出装置に係り、特に当該装置に対して着脱可能とされたＸ線発生手段等に設けられ、該Ｘ線発生手段が装置に対して正規の装着状態にあるときにのみＸ線の照射を可能とする安全スイッチに関するものである。
【０００２】
【従来の技術】
従来より、例えば生肉、魚、加工食品、医薬などの各品種の被検査物中（表面も含む）の異物（金属，骨，ガラス，石，合成樹脂材等）を検出するためにＸ線異物検出装置が用いられている。この種のＸ線異物検出装置の上側にはＸ線発生手段が設けられ、同下側にはＸ線検出手段が設けられ、両手段の間には被検査物を搬送する搬送手段が設けられている。被検査物は搬送手段で搬送され、搬送中にＸ線発生手段から下側に向けて照射されたＸ線が被検査物を透過してＸ線検出手段で検知され、これによって被検査物中の異物が検出される。
【０００３】
上記Ｘ線異物検出装置では、図６（ａ），（ｂ）に示すように、一般にＸ線発生手段１０１は装置本体（筐体）１０２に対して着脱可能な構造になっており、筐体１０２に対して装着する場合にも装着位置は一義的ではなく、若干のあそびがあり、前記Ｘ線検出手段（不図示）に対する位置調整を行えるようになっている。具体的には、Ｘ線発生手段１０１を所定の方向（図６（ｂ）の矢印Ｂ方向）に沿って筐体１０２の内部に挿入した後、筐体１０２内でこれと直交する方向（図６（ａ）の矢印Ｃ方向）に移動させて位置を決めることができる。
【０００４】
ここで、前記安全スイッチとしては、従来はリミットスイッチ１０３が用いられていた。一般的なリミットスイッチ１０３は、操作体が接触したアクチュエータ１０３ａの作動によって間接的に接点を開閉するものである。リミットスイッチ１０３は、筐体１０２内において、例えばＸ線発生手段１０１を支持する断面略Ｌ字形のアングル１０４の下側にて、該アングル１０４に穴をあけてアクチュエータ１０３ａを突出させて配置されている。そして、Ｘ線発生手段１０１が筐体１０２内の正規の装着位置に挿入された際にアクチュエータ１０３ａがＸ線発生手段１０１に押されてＯＮすることによりＸ線発生手段１０１を検知し、Ｘ線照射制御回路を作動可能な状態にしていた。
【０００５】
【発明が解決しようとする課題】
従来のＸ線異物検出装置では、上述したように筐体１０２に対して着脱可能なＸ線発生手段１０１の安全スイッチとして、リミットスイッチ１０３を用いていたが、このリミットスイッチ１０３には安全スイッチとして次のような問題があった。即ち、Ｘ線発生手段１０１を筐体１０２から取り外してもリミットスイッチの接点がＯＮからＯＦＦに戻らず、接点が閉じた状態を維持してしまう（即ち、アクチュエータ１０３ａが押されたままの状態が維持される）、いわゆる接点融着という現象が発生する場合があるという問題である。この接点融着が生じると、装置からＸ線発生手段１０１を取り外した状態であるのに、Ｘ線が照射可能な状態を維持してしまう。例えば、Ｘ線発生手段１０１が正規位置に載置されていないのにもかかわらず、接点融着によってＸ線が照射可能になってしまっていた場合、作業者が被曝してしまう危険がある。
【０００６】
そこで、かかる接点融着の問題を解決するために、リミットスイッチ１０３の代わりに強制開離型スイッチを用いることを本発明者らは検討した。この強制開離型スイッチは、スイッチ本体の所定位置にあり挿抜可能であるスイッチ操作手段が、スイッチ本体に挿入されている状態において接点がオンになっており、スイッチ操作手段を引き抜くことによって強制的に接点を開離して接点をオフにするものである。
【０００７】
しかしながら、強制開離型スイッチには接点融着の問題はないが、次のような問題がある。即ち、接点の強制開離のためにスイッチ操作手段をスイッチ本体に対して押し込む操作が必要であるが、このスイッチ本体に対するスイッチ操作手段の抜き差しは、スイッチ本体の特定個所にある挿入部に対して所定の一方向の移動のみによって行なわれる。しかしながら、Ｘ線異物検出装置では、上述したようにＸ線発生手段１０１の装置本体（筐体）１０２に対する装着動作は一方向のみではなく、通常は筐体の内部に挿入した後に筐体内でこれと直交する方向に移動させて位置決めを行なうことになるので、スイッチ本体に対してスイッチ操作手段を一方向にのみ抜き差しする前記強制開離型スイッチは、Ｘ線発生手段１０１の安全スイッチとしては採用することが困難であった。
【０００８】
本発明は、上記課題を解消するためになされたものであり、装置本体に対して着脱可能で装着位置を調整できるＸ線発生手段の安全スイッチとして、接点融着の問題のない強制開離型スイッチを採用したＸ線異物検出装置を提供することを目的としている。
【０００９】
【課題を解決するための手段】
請求項１に記載されたＸ線異物検出装置１は、筐体２と、前記筐体２に対して着脱可能でかつ装着時には位置調整可能であり、前記筐体２に装着された状態で被検査物にＸ線を照射するＸ線発生手段７と、前記筐体１内に設けられ前記被検査物を透過したＸ線を検出して前記被検査物中の異物の有無を検出するＸ線検出手段１０と、前記筐体２に設けられ前記筐体２に装着された前記Ｘ線発生手段７に操作されて前記Ｘ線発生手段７を作動可能な状態とする安全スイッチとを有するＸ線異物検出装置１において、
前記安全スイッチが、前記Ｘ線発生手段７に設けられたスイッチ操作手段２１の挿抜により動作する強制開離機構を備えたスイッチ２０であり、
さらに前記Ｘ線発生手段７を前記筐体２に装着する際に、前記スイッチ操作手段２１が前記スイッチ本体に正規に挿入されるように、前記筐体２に第１の案内手段２５および前記スイッチ２０が設けられ、前記Ｘ線発生手段７に該第１の案内手段２５と係合する第２の案内手段２６および前記スイッチ操作手段２１が設けられたことを特徴としている。
【００１０】
請求項２に記載されたＸ線異物検出装置１は、筐体２と、前記筐体２に装着されて被検査物にＸ線を照射するＸ線発生手段７と、前記筐体に対して着脱可能でかつ装着時には位置調整可能であり、前記筐体２に装着された状態で前記被検査物を透過したＸ線を検出して前記被検査物中の異物の有無を検出するＸ線検出手段１０と、前記筐体２に設けられ前記筐体２に装着された前記Ｘ線検出手段１０に操作されて前記Ｘ線発生手段７を作動可能な状態とする安全スイッチとを有するＸ線異物検出装置１において、
前記安全スイッチが、前記Ｘ線検出手段に設けられたスイッチ操作手段２１の挿抜により動作する強制開離機構を備えたスイッチ２０であり、
さらに前記Ｘ線検出手段１０を前記筐体２に装着する際に、前記スイッチ操作手段２１が前記スイッチ本体に正規に挿入されるように、前記筐体２に第１の案内手段２５および前記スイッチ２０が設けられ、前記Ｘ線検出手段１０に該第１の案内手段２５と係合する第２の案内手段２６および前記スイッチ操作手段２１が設けられたことを特徴としている。
【００１１】
請求項３に記載されたＸ線異物検出装置１は、請求項１又は２記載のＸ線異物検出装置において、
前記第１の案内手段２５と前記第２の案内手段２６とのいずれか一方と強制開離機構を備えた前記スイッチ２０が、
前記Ｘ線検出手段１０又は前記Ｘ線発生手段７を前記筐体２に装着する際に前記筐体２内に進入させる方向と交差する方向である調整方向に所定範囲内で移動可能となるように前記筐体２に取り付けられており、
前記第１の案内手段２５と前記第２の案内手段２６との他方および前記スイッチ操作手段２１が前記Ｘ線検出手段１０又は前記Ｘ線発生手段７に取り付けられており、
前記Ｘ線検出手段１０又は前記Ｘ線発生手段７を前記筐体２に装着する際に、前記第１の案内手段２５と前記第２の案内手段２６が互いに係合することによって前記スイッチ操作手段２１が強制開離機構を備えた前記スイッチ２０に正規に挿入されて前記Ｘ線発生手段７が作動可能な状態になるとともに、
前記スイッチ操作手段２１が強制開離機構を備えた前記スイッチ２０に正規に挿入された状態において前記Ｘ線検出手段１０又は前記Ｘ線発生手段７を前記調整方向について移動させて装着する位置を調整することができることを特徴としている。
【００１２】
請求項４に記載されたＸ線異物検出装置１は、請求項１〜３の何れかに記載のＸ線異物検出装置において、
前記第１の案内手段２５が、前方に向けて拡大した導入部２３と該導入部２３の後部に連続して設けられた受け凹部２４で構成され、
前記第２の案内手段２６が前記第１の案内手段２５の前記導入部２３に案内されて前記受け凹部２４に挿入される案内部材で構成されていることを特徴としている。
【００１３】
【発明の実施の形態】
以下、本発明の実施の形態を図面を参照して具体的に説明する。
図１は本発明の実施の形態であるＸ線異物検出装置１の外観を示す模式的な斜視図である。
【００１４】
図１に示すように、Ｘ線異物検出装置１は、装置本体である筐体２を有している。この筐体２は、内部から有害な量のＸ線が外部に漏洩しないように、放射線防護材料を用いて形成されている。筐体２の左右両面は貫通しており、被検査物の入口３及び出口４となっている。
【００１５】
図１に示すように、筐体２の内部には、前記入口３と出口４を貫通するように、前記Ｘ線発生手段３の下方に搬送手段６が設けられている。搬送手段６は、複数本のローラと、これを駆動する図示しないモータと、ローラに掛け回された無端状の搬送ベルトからなる。
【００１６】
図１に示すように、筐体２の上部２ａの内部には、前記搬送手段６の上方に、下方に向けてＸ線を照射するＸ線発生手段７が設けられている。Ｘ線発生手段７が照射するＸ線の態様は、前記搬送手段６の搬送方向に対して直交する面状であって、その面は下向きに広がる略三角形状である。
【００１７】
図１に示すように、搬送手段６の上側の搬送ベルトの下面に接して筐体の下部２ｂが設けられている。この筐体の下部２ｂの内部には、Ｘ線検出手段１０が設けられている。このＸ線検出手段１０は、Ｘ線発生手段７からの面状のＸ線に対応して搬送手段６の搬送方向と直交する方向に沿って形成されたスリット１１と、該スリット１１の下方に列設された図示しない複数の検出素子を有している。Ｘ線検出手段１０は、Ｘ線発生手段７から照射され、被検査物を透過したＸ線を検出して前記被検査物中の異物の有無を検出する。
【００１８】
さて、本例のＸ線異物検出装置１においては、前記Ｘ線発生手段７は筐体２に対して着脱可能であり、かつ装着時にはある程度の範囲で位置調整が可能であるように構成されている。即ち、図２（ａ），（ｂ）に示すように、筐体２の上部２ａの内部には、一対の案内レール１２，１２が設けられており、Ｘ線発生手段７の下部の外面には周状に矩形のフランジ１３が形成されている。このフランジ１３を一対の案内レール１２，１２の上面に接触させた状態で、Ｘ線発生手段７の下部を一対の案内レール１２，１２の間に挿入することにより、Ｘ線発生手段７を筐体２内の所定位置に装着することができる。ここで、一対の案内レール１２，１２の間隔は、Ｘ線発生手段７の下部の幅よりも大きく隙間を有している。従って、一対の案内レール１２，１２の間に挿入されたＸ線発生手段７は、挿入方向である一対の案内レール１２，１２の長手方向について所定の位置に設定された後には、挿入方向と直交する調整方向（一対の案内レール１２，１２の間隔方向）について位置を調整することができる。この方向についての調整は、Ｘ線検出手段１０におけるＸ線の検出状態が最適となるように行なう。調整後、フランジ１３に設けられた長孔１４を介して案内レール１２のねじ孔に止めねじをねじ込んでＸ線検出手段１０を案内レール１２に固定する。
【００１９】
前記筐体２の上部２ａの内部の所要位置には、Ｘ線照射制御回路を開閉する安全スイッチとしての強制開離型スイッチ２０が設けられている。強制開離型スイッチ２０は、スイッチ本体の所定位置にあり挿脱可能であるスイッチ操作手段２１が、スイッチ本体に挿入されている状態において接点がオンになっており、スイッチ操作手段２１を引き抜くことによって強制的に接点を開離して接点をオフにするものである。また、前記Ｘ線発生手段７の強制開離型スイッチ２０に対応する位置には、当該スイッチを操作する棒板状（キー状）のスイッチ操作手段２１が設けられている。
【００２０】
従って、Ｘ線発生手段７を筐体２内で一対の案内レール１２，１２の間に挿入し、そのまま押し込むと、所定位置において前記Ｘ線発生手段７に設けられているスイッチ操作手段２１が強制開離型スイッチ２０の挿入部２０ａに挿入され、当該スイッチ２０の接点がを開離状態から解除されＸ線が照射可能となる。逆に、Ｘ線発生手段７を筐体２から抜き出すと、Ｘ線発生手段７のスイッチ操作手段２１が強制開離型スイッチ２０の挿入部２０ａから抜き出され、当該スイッチ２０の接点が強制的に開離してＸ線が照射不可能となる。
【００２１】
さて、本例のＸ線異物検出装置１においては、Ｘ線発生手段７を前記筐体２に装着する際に、前述したような状態で前記スイッチ操作手段２１が前記スイッチ２０の本体に正規に押し込まれるように、前記Ｘ線発生手段７の装着動作を案内する案内手段２２が設けられている。
【００２２】
図３（ａ），（ｂ）及び図４（ａ），（ｂ）に示すように、案内手段２２（第１の案内手段２５および第２の案内手段２６）は、前方に向けて拡大した導入部２３と該導入部２３の後部に連続して設けられた受け凹部２４とを有する受け部材（第１の案内手段）２５と、前記受け部材２５の前記導入部２３に案内されて前記受け凹部２４に挿入される棒状の案内部材（第２の案内手段）２６からなる。
【００２３】
本例では、前記受け部材２５と前記強制開離型スイッチ２０が一体となって、共に支持部材２７に取り付けられている。この支持部材２７の基部には複数の長孔２８が形成され、各長孔２８を相通した複数の止めねじで筐体２の不動部分に取り付けられている。従って、一体とされた受け部材２５と強制開離型スイッチ２０は、支持部材２７とともに長孔２８の部分で止めねじにガイドされて長孔２８の方向に沿って移動可能である。ここで、複数の長孔２８の長手方向、即ち支持部材２７が移動しうる方向は、前述したＸ線発生手段の挿入方向と直交する調整方向に一致している。
【００２４】
また、Ｘ線発生手段７においてスイッチ操作手段２１が取り付けられている位置の近傍には、前記受け部材２５に対向するように、棒状の案内部材２６が取り付けられている。なお、スイッチ操作手段２１と案内部材２６は、Ｘ線発生手段７の筐体２に対する挿入方向と平行な一対の面の一方に取り付けられている。この位置にあれば、Ｘ線発生手段７を筐体２内に挿入する作業を、案内部材２６が筐体２の奥にある受け部材２５に概ね適合する位置にあるか否かを目視で確認しつつ行なうことができる。但し、本発明は目視できる位置に前記案内手段２５，２６を設けることに限定するものではない。Ｘ線発生手段７と筐体２が係合できる位置であればどこに設けても良い。
【００２５】
以上の構成における作用を説明する。Ｘ線発生手段７を筐体２に装着するため、Ｘ線発生手段７を筐体２内に挿入した場合、スイッチ操作手段２１と強制開離型スイッチ２０の位置がずれていて、従来であればそのまま挿入してもスイッチ操作手段２１が強制開離型スイッチ２０に挿入されない場合がある。しかし、本例によれば、図３（ａ），（ｂ）及び図４（ａ），（ｂ）に示すように、まず、スイッチ操作手段２１が強制開離型スイッチ２０に到達する前に、案内部材２６が受け部材２５と接触する。受け部材２５には拡大された導入部２３があるので、Ｘ線発生手段７を挿入すると、案内部材２６の先端が受け部材２５の導入部２３の斜面を押し、支持部材２７で一体になった受け部材２５と強制開離型スイッチ２０がこれによって長孔２８の方向にスライドする。これによって、スイッチ操作手段２１は円滑に強制開離型スイッチ２０の挿入部２０ａに挿入されてその接点を開離状態から解除し、Ｘ線発生手段７の駆動回路は動作可能となって、Ｘ線の照射が可能となる。このように、一旦スイッチ操作手段２１が強制開離型スイッチ２０の挿入部２０ａに挿入されれば、案内レール１２の上にあるＸ線発生手段７を挿入方向と交差する方向（調整方向）に位置調整することもできる。
【００２６】
図５（ａ）は本発明の実施の形態であるＸ線異物検出装置の第２の例を示す模式的な斜視図、図５（ｂ）は図５（ａ）における正面図である。本例のＸ線異物検出装置は、図１に示した第１の例と全体構成は略同一であるが、Ｘ線発生手段の駆動回路のＯＮ／ＯＦＦを定める強制開離型スイッチ２０とそのスイッチ操作手段２１及び受け部材２５と案内部材２６が、第１の例のようにＸ線発生手段又はその近傍ではなく、筐体２の下部２ｂにあるＸ線検出手段１０とその近傍に設けられている点に特徴がある。
【００２７】
図５（ａ），（ｂ）に示す本例のＸ線検出手段１０は平坦な箱状であり、筐体２に対して着脱可能とされている。図５（ａ），（ｂ）に示すように、筐体２の下部２ｂの内部には一対の案内レール３１，３１が設けられており、Ｘ線検出手段１０の下面は、一対の案内レール３１，３１によりスライド可能に係合している。また、Ｘ線検出手段１０は、案内レール３１に対して長手方向と直交する方向について隙間を有しており、所定の寸法だけ移動可能である。即ち、Ｘ線検出手段１０は案内レール３１に沿って筐体２内に挿入した後、これと直交する方向について位置を調整することができる。
【００２８】
詳細は図示しないが、このＸ線検出手段１０の側面に案内部材２６とスイッチ操作手段２１が設けられ、これに対応する筐体２内の所要位置に受け部材２５と強制開離型スイッチ２０が設けられている。受け部材２５と強制開離型スイッチ２０は支持部材２７に設けられて、筐体に対して第１の例と同様に移動可能な構成とされている。各部品の構成は第１の例と実質的に同一である。
【００２９】
本例によれば、第１の例おいてＸ線発生手段７を筐体２に装着する際に得られる作用・効果と略同一の効果が、Ｘ線検出手段１０の着脱において得られる。即ち、Ｘ線検出手段１０を筐体２内に挿入した場合、スイッチ操作手段２１と強制開離型スイッチ２０の位置がずれていても、案内部材２６が受け部材２５の作用によって、スイッチ操作手段２１が円滑に強制開離型スイッチ２０の挿入部２０ａに挿入されて接点を開離状態から解除され、Ｘ線発生手段７の駆動回路が動作可能となり、Ｘ線の照射が可能となる。そして、一旦スイッチ操作手段２１が強制開離型スイッチ２０の挿入部２０ａに挿入されれば、案内レール３１の上にあるＸ線検出手段１０を挿入方向と交差する方向に位置調整することもできる。
なお、本例においては、Ｘ線発生手段７の側に第１の例によるスイッチ操作手段２１と強制開離型スイッチ２０を併設する構成としてもよい。
【００３０】
なお、上記各例において、受け部材（第１の案内手段）２５と案内部材（第２の案内手段）２６とのいずれか一方と強制開離型スイッチ２０が、Ｘ線検出手段１０又はＸ線発生手段７を筐体２に装着する際に筐体２内に進入させる方向と交差する方向である調整方向に所定範囲内で移動可能となるように前記筐体２に取り付けられ、受け部材２５と案内部材２６との他方およびスイッチ操作手段２１が、Ｘ線検出手段１０又は前記Ｘ線発生手段７に取り付けられていればよい。このような構成により、Ｘ線検出手段１０又はＸ線発生手段７を筐体２に装着する際に、受け部材２５と案内部材２６が互いに係合することによってスイッチ操作手段２１が強制開離型スイッチ２０に正規に挿入されてＸ線発生手段７が作動可能な状態になり、スイッチ操作手段２１が強制開離型スイッチ２０に正規に挿入された状態においてＸ線検出手段１０又はＸ線発生手段７を調整方向について移動させて装着する位置を調整することができる。
【００３１】
【発明の効果】
以上説明したように本発明によるＸ線異物検出装置によれば、位置調整可能なＸ線発生手段又はＸ線検出手段と安全スイッチを有するＸ線異物検出装置において、安全スイッチとして接点融着が起きない強制開離型のスイッチを採用し、さらにＸ線発生手段又はＸ線検出手段を筐体に装着する際にスイッチ操作手段がスイッチ本体に正規に押し込まれるようにする案内手段を設けたので、Ｘ線発生手段又はＸ線検出手段を筐体に装着する際にスイッチ操作手段とスイッチ本体が正対する位置にない状態でも円滑に該スイッチを動作させることができる。
【図面の簡単な説明】
【図１】本発明のＸ線異物検出装置の一例の外観を示す斜視図。
【図２】（ａ）本発明における筐体内のＸ線発生手段の外観を示す斜視図。
（ｂ）図１（ａ）における正面図。
【図３】（ａ）本発明におけるＸ線発生手段の装着動作においてスイッチ操作手段がスイッチに挿入される状態を示す斜視図。
（ｂ）図３（ａ）における一部裁断側面図。
【図４】（ａ）本発明におけるＸ線発生手段の装着動作においてスイッチ操作手段がスイッチに挿入された状態を示す斜視図。
（ｂ）図４（ａ）における一部裁断側面図。
【図５】（ａ）本発明における筐体内のＸ線検出手段の外観を示す斜視図。
（ｂ）図５（ａ）における正面図。
【図６】（ａ）従来のＸ線異物検出装置を示す正面図。
（ｂ）図６（ａ）におけるＡ−Ａ矢視図。
【符号の説明】
１…Ｘ線異物検出装置、２…筐体、７…Ｘ線発生手段、１０…Ｘ線検出手段、２０…強制開離型スイッチ、２１…スイッチ操作手段、２２…案内手段、２３…導入部、２４…受け凹部、２５…受け部材（第１の案内手段）、２６…案内部材（第２の案内手段）、２７…支持部材。
【図１】
2004020384.tif 000003
【図２】
2004020384.tif 000004
【図３】
2004020384.tif 000005
【図４】
2004020384.tif 000006
【図５】
2004020384.tif 000007
【図６】
2004020384.tif 000008